(57)【要約】フライングディスク玩具（１１）は、外側リム（１５）と、リム内に配置されている平らな円形エーロフォイル（１３）とを含む。弾性材料であることが好ましいコード（４５）は、円形エーロフォイル（１３）の対称中心に留められている。
2004538111.tif 000002
【特許請求の範囲】
【請求項１】
外縁、上面、及び下面を有し、前記上面は、平面であり、前記上面に対して平行に配置され平面である前記下面から間隔をあけて配置されるようになった、所定直径の円形エーロフォイルと、
前記円形エーロフォイルの外縁に固定され、前記円形エーロフォイルと同じ直径を有する円筒型に成形された外側リムと、
を備えたフライング玩具であって、前記外側リムは、前記円形エーロフォイルの前記上面及び前記下面から同じ高さだけ延びる垂直高さを有することを特徴とする玩具。
【請求項２】
前記外側リムが、湾曲した外面を有することを特徴とする請求項１に記載の玩具。
【請求項３】
前記エーロフォイルと前記リムの交差部分において前記玩具の重量を増すための重量付加手段を更に含むことを特徴とする請求項１に記載の玩具。
【請求項４】
前記玩具が、単一のプラスチック部品として成形されていることを特徴とする請求項１に記載の玩具。
【請求項５】
前記円形エーロフォイルが、中実部材であることを特徴とする請求項１に記載の玩具。
【請求項６】
前記円形エーロフォイルの直径が、５インチ以上で１２インチ以下の範囲内にあることを特徴とする請求項１に記載のフライング玩具。
【請求項７】
前記外側リムの高さが、１インチ以上で２インチ以下の範囲内にあることを特徴とする請求項１に記載のフライング玩具。
【請求項８】
前記外側リムの垂直高さに対する前記エーロフォイルの直径の比が、５：１から９：１の範囲内にあることを特徴とする請求項１に記載のフライング玩具。
【請求項９】
前記円形エーロフォイルの対称中心に取り付けられているコードを更に含むことを特徴とする請求項１に記載のフライング玩具。
【請求項１０】
前記円形エーロフォイルの対称中心に取り付けられている弾性コードを更に含むことを特徴とする請求項１に記載のフライング玩具。
【請求項１１】
前記円形エーロフォイルが対称中心を貫通する開口を含み、前記エーロフォイルの前記開口を通すことで前記円形エーロフォイルへ取り付けられているコードを更に備えることを特徴とする請求項１に記載のフライング玩具。
【請求項１２】
前記コードの一端に、前記円形エーロフォイルの一方の面に接する結び目を備えることを特徴とする請求項１１に記載のフライング玩具。
【請求項１３】
貫通した開口を有するビーズを更に備え、前記コードが、前記ビーズの開口及び前記円形エーロフォイルの前記開口を通り、前記ビーズが、前記エーロフォイルの前記コードの回りの回転のためのベアリング面をもたらすことを特徴とする請求項１２に記載のフライング玩具。
【請求項１４】
前記円形エーロフォイルの対称中心へ取り付けられているコードを更に備えることを特徴とする請求項４に記載のフライング玩具。
【請求項１５】
前記円形エーロフォイルの対称中心へ取り付けられている弾性コードを更に備えることを特徴とする請求項４に記載のフライング玩具。
【請求項１６】
前記円形エーロフォイルが対称中心を貫通する開口を含み、前記エーロフォイルの前記開口を通すことで前記円形エーロフォイルへ取り付けられているコードを更に備えることを特徴とする請求項４に記載のフライング玩具。
【請求項１７】
前記コードの一端に、前記円形エーロフォイルの一方の面に接する結び目を備えることを特徴とする請求項１６に記載のフライング玩具。
【請求項１８】
貫通する開口を有するビーズを更に備え、前記コードが、前記ビーズの開口及び前記円形エーロフォイルの前記開口を通り、前記ビーズが、前記エーロフォイルの前記コードの回りの回転のためのベアリング面をもたらすことを特徴とする請求項１７に記載のフライング玩具。
【請求項１９】
外縁、上面、及び下面を有し、前記上面は、平面であり、前記上面に対して平行に配置され平面である前記下面から間隔をあけて配置されるようになっており、更に、その対称中心に開口を有する、５インチ以上で１２インチ以下の範囲内の直径の円形エーロフォイルと、
前記円形エーロフォイルの外縁に固定され、前記円形エーロフォイルと同じ直径を有する円筒型に成形された外側リムと、
前記エーロフォイルの前記開口を通すことで前記円形エーロフォイルに取り付けられているコードと、
を備えたフライング玩具であって、前記外側リムは、前記円形エーロフォイルの前記上面及び前記下面から同じ高さだけ延びる垂直高さを有することを特徴とする玩具。
【請求項２０】
前記円形エーロフォイルが、その対称中心に窪み部を含むことを特徴とする請求項１に記載のフライング玩具。
【発明の詳細な説明】
【技術分野】
【０００１】
本発明は、全体的には、玩具及び娯楽器具に関し、詳細には、円形の外側リム又はリングの中央に配置された、円形の中央エーロフォイルから構成された空気力学的ディスクに関する。
【背景技術】
【０００２】
従来からフライングソーサー装置、所謂「フリスビー」は公知である。このような装置は、典型的には「キャッチ」ゲームにおいて、投てき用装置又は玩具として使用されている。このような装置は、典型的には、例えば、米国特許第３，３５９，６７８号に開示されているように、中央ディスク部と、該中央ディスクからこれを取り囲んで下側に延びるリムとを用いる。
【発明の開示】
【課題を解決するための手段】
【０００３】
本発明は、円形の下縁に対して平行に延びる円形の上縁を有する円筒型リムを含むフライングディスク玩具を提供する。円形の縁部を有する平らな円形中央エーロフォイルは、リムの内周面に取り付けられており、円筒型リムの垂直高さは、円形の縁部から同じ高さだけ反対方向に延びている。更に、中央エーロフォイルは、対称中心の位置に小さな開口を有しており、弾性のある又は弾性のないコードはこの開口を通り、球状ビーズ又は結び目のいずれかを介して、結び目によってエーロフォイルに留められている。投げた場合、フライングディスクは大きなジャイロ効果をもち安定性が高い。ディスクに留められているコードは、回転中にディスクをキャッチする、投げる、保持する、又はあちこちに動かすために使用できる。
【発明を実施するための最良の形態】
【０００４】
図１及び図２は、好適な実施形態によるフライングディスク玩具１１を示す。このディスク玩具１１の円形の中心部、即ちエーロフォイル１３は平面であり、発泡プラスチック板、又は任意の他の同等の軽量材料から作られており、直径は、例えば、５インチから１２インチの間で様々とすることができる。外側リム１５は円筒型であり、エーロフォイル１３と同じ材料で作られており、高さは、中心円形部、即ちエーロフォイル１３の寸法との関連で１インチから２インチまで様々とすることができる。
【０００５】
外側リム１５は、エーロフォイル１３の周りに配置され、グルーガン又は他の接着剤を用いて９０度の角度で取り付けられている。別の方法として、外側リム及びエーロフォイルは一体成型される。外側リム１５は、エーロフォイル１３の縁部の中心線１７が側面２０を二等分するようにエーロフォイル１３に取り付けられているので、側面２０の均等な部分１９が中心線１７の両側に延びる。直径１０インチのディスクに関して、各々の側部１９の長さは３/４インチである。従って、フライングディスク玩具１１の上側及び下側は相互に鏡像関係にある。
【０００６】
外側リム１５をエーロフォイル１３へ取り付けた後、シリコーンは、外側リム１５がエーロフォイル１３へ取り付く継ぎ目２１の周囲、即ち「赤道ライン」に塗布される。シリコーンは、両側の全円周の回りに均等に滑らかになっているので、エーロフォイル１３と外側リム１５とを接続する両側は、シリコーンの滑らかな層をもつことになる。この処理により、外側リム１５の円周方向の重さが重くなるので、飛行中にディスクを水平にする傾向があるジャイロ効果が大きくなる。
【０００７】
エーロフォイル１３の直径に対するリム１５の高さは、距離性能を左右する。つまり、例えば、直径８インチのエーロフォイルに関して、１．５インチの垂直リム高さ１４は、１．２５インチの垂直リム高さよりも実質的に空気抵抗が大きい。直径対高さの比は、性能に著しく影響を及ぼすことなく、５:１から８:１まで様々とすることができる。飛行性能はこの比率にのみ影響を受ける。外側の垂直リムの高さがより高くなると、エーロフォイルと外側リムとの間により多くの空気が取り込まれるので、顕著な浮遊効果がもたらされる。リムの直径対高さの比が９：１より大きくなると、飛行が不安定になり、フライングディスクが左右に曲がることが分かっている。
【０００８】
製造するにあたり、現在のところフライングディスク３３（図３及び図４４）をプラスチック射出成形によって作るのが好ましい。従って、成形プラスチック本体は、平らな円形エーロフォイル３７を備え、その周囲はエーロフォイル３７の両側で同じ距離だけ延びるリム部３５によって境界づけされている。リム部３５は、エーロフォイル３７の全周囲に対して９０度の角度をもっている。リム部３５の外面３９は、中央エーロフォイル３７から上下方向に湾曲してもよく、２つの同じ面のどちらからでも手で投げることができる。
【０００９】
前述のように、フライングディスク３３は、空気力学的形状をもった本体をもたらすよう成形されるので、空中に回転運動を伴って投げると、空中を飛ぶように、即ち空中に「浮遊」しているように見える。手首の動きによって与えられる回転運動は、ジャイロ効果で飛行を安定にする。
【００１０】
図１から図４に示すようなフライングディスクは、ユーザにより腕を地面と平行に保ったまま片手のバックハンド動作でもって投げることができ、手首のスナップ動作で投げが終了する。投げ出す際の腕の角度で、高度及び距離に関連する飛行角度が決まる。
【００１１】
フライングディスク１１、３３は、その形状、水平度、及び受け手に「突進」するのではなく受け手に向かう「浮遊」作用によって、投げて受け止めるのが簡単である。フライング玩具は飛行が安定しており長い水平経路に沿って及び近距離に投げることができるので、子供たちはフライング玩具に素早く簡単に順応する。また、フライングディスクは、従来よりも近距離に気楽に投げることができるので、以前はあえて投げようとしなかった地域でも投げることができ、このことは、人口密集地域では重要である。つまり、広いグラウンドは必要なく、本発明のフライングディスクは、普通の広さの庭で気楽に使うことができる。また、フライングディスクは、上下が同一なので投げた際に上下が逆にならない。
【００１２】
フライングディスク玩具１１は、エーロフォイル１３の対称中心に取り付けたコード４５（図５）を追加することでより楽しくなる。コード４５は、弾性ゴムタイプのコード、又は弾性のないストラップ、又はプラスチックのストリップ、又はプレー中に作用する力に耐えるほど丈夫な糸であってもよい。コード４５は、幅が１／１６〜１／４インチ、長さが１２〜６０インチであることが好ましい。
【００１３】
コード４５は、エーロフォイル１３に任意の方法で取り付けられる。開口４３は、エーロフォイルの対称中心に配置できる。開口は直径が１/８インチを越えてはならない。中心に貫通孔をもったガラス製、金属製、又はプラスチック製、又は同等の材料の球状ビーズにはコード４５が通されており、結び目４９や膨らみ等によってコードの一端４９に留められている。コード４５の他端は、エーロフォイル１３の開口４３を通されている。従って、ビーズ４７はエーロフォイル１３の下側にある。フライングディスク玩具は、回転中、ビーズ６３に接してコード６１の回りを回転するが、ビーズ６３は、比較的摩擦の少ないベアリングとして機能する。
【００１４】
もしくは、コード４５は、エーロフォイル１３の対称中心に配置された回転取り付け部材５３（図７）によってエーロフォイル１３へ取り付けてもよい。
【００１５】
また、外側リム３５上の湾曲した外面３９を備えるフライングディスク玩具３３は、エーロフォイル３７の対称中心の位置に開口５９を有する。ストッパ４９とエーロフォイル３７の下側との間に留められている球状ビーズ４７は、コード４５の回りのディスク３３の回転のためのベアリング面として機能する。
【００１６】
使用時、片手でコード４５を保持し、もう一方の手でディスクを回転させる。ディスクは、その軸上で回転を続け回転面の向きを保つことができるが、コード４５を操作することで、前後、上下、及びあちこちに動かすことができる。コード４５を長い棒に取り付けると、フライングディスクは、空飛ぶ円盤に似た空中停止及び素早い動きでもって空中高くで操作できる。このような方法で、フライングディスク玩具を使用することができ、一人でも楽しむことができる。従って、弾性コードを備えたフライングディスク玩具は、複合型のジャイロスコープ回転ヨーヨーとして使用することができる。
【００１７】
複数ユーザプレーにおいて複数のユーザがかかわる場合、ディスクは、そのコードを捕まえることができる。この場合、ディスクは、回転し続け、弾性コードを捕まえることによって慣性が無くなるまで、回転スラストの力によって滑空する。ディスクを捕まえると、依然として回転しているので、ディスクは緩やかに停止して反対方向に動くようになる。
【００１８】
図８に示す別の実施形態には、エーロフォイル１３が対称中心の位置に窪み部を有し、ディスクがペンや鉛筆等の先の尖った物体５７の上で回転できるようになったフライングディスク玩具が示されている。
【００１９】
当業者であれば、本発明の範囲及び精神を逸脱することなく、前述の好適な実施形態の種々の変形及び変更を行うことができることを理解できるであろう。従って、本発明は、特許請求の範囲の範疇で、本明細書で具体的に説明したもの以外でも実施できることを理解されたい。
【図面の簡単な説明】
【００２０】
【図１】本発明の第１の実施形態の斜視図である。
【図２】図１の２−２線に沿った断面図である。
【図３】本発明の第２の実施形態の斜視図である。
【図４】図３の３−３線に沿った断面図である。
【図５】本発明の別の実施形態の斜視図である。
【図６】図５の６−６線に沿った断面図である。
【図７】図５の６−６線に沿った断面図であり、コードの別の取り付け部材を示す。
【図８】図１の別の実施形態の断面図である。
【図９】コード留め部を有する図３の別の実施形態の断面図である。
【符号の説明】
【００２１】
１１  フライングディスク玩具
１３  円形エーロフォイル
１５  外側リム
４５  コード
【図１】
2004538111.tif 000003
【図２】
2004538111.tif 000004
【図３】
2004538111.tif 000005
【図４】
2004538111.tif 000006
【図５】
2004538111.tif 000007
【図６】
2004538111.tif 000008
【図７】
2004538111.tif 000009
【図８】
2004538111.tif 000010
【図９】
2004538111.tif 000011
【国際公開パンフレット】
2004538111.tif 000012
2004538111.tif 000013
2004538111.tif 000014
2004538111.tif 000015
2004538111.tif 000016
2004538111.tif 000017
2004538111.tif 000018
2004538111.tif 000019
2004538111.tif 000020
2004538111.tif 000021
2004538111.tif 000022
2004538111.tif 000023
2004538111.tif 000024
2004538111.tif 000025
【国際調査報告】
2004538111.tif 000026